(57)【要約】【課題】塵埃回収機構の設置スペースを小型化した空気調和機を提供する。【解決手段】エアフィルタ１０に付着した塵埃除去用のブラシ１６を保持するブラシ保持台１７と、ブラシの下方に位置し前記ブラシで除去した塵埃を上面の開口２２を介して回収する塵埃回収部１９とを備え、ブラシ保持台１７は当該ブラシ保持台を回転させて前記ブラシ１６を上向き姿勢から下向き姿勢にすると前記ブラシ保持台１７のブラシ保持面自体で塵埃回収部１９の上面開口を塞ぎ、塵埃回収通路部を形成する構成としてある。これにより、塵埃回収機構の駆動源としてはブラシ保持台を回転させる駆動源一つでよく、従来のようにブラシ保持台の駆動源とブレード付き塵埃受け部の駆動源の二つを必要とせず、塵埃回収機構の設置スペースを小型化することができる。【選択図】図６
2020063848.tif 000002
【特許請求の範囲】
【請求項１】
室内機に内蔵されたエアフィルタと、前記エアフィルタに付着した塵埃を除去するブラシを保持したブラシ保持台と、前記ブラシ保持台を上向き姿勢と下向き姿勢に回転させる回転装置と、前記ブラシ保持台の下方に位置し前記ブラシで除去した塵埃を上面の開口を介して回収する塵埃回収部とを備え、前記塵埃回収部の開口は上向き姿勢から下向き姿勢に回転した前記ブラシ保持台のブラシ保持面自体で塞ぐ構成とした空気調和機。
【請求項２】
塵埃回収部は下向き姿勢のブラシに付着している塵埃を除去するブレードを備えた構成とした請求項１記載の空気調和機。
【請求項３】
ブラシ保持台は回転アームで回転自在に支持するとともに、塵埃回収部の開口面は傾斜面とした請求項１又は２記載の空気調和機。
【請求項４】
アームは二つ備え、前記二つのアームはそのアーム軸線が交差するような形でその端部をブラシ保持台に回転自在に連結した請求項３記載の空気調和機。
【請求項５】
アームはブラシ保持台の両端部分にそれぞれ設けた請求項３又は４記載の空気調和機。
【発明の詳細な説明】
【技術分野】
【０００１】
本発明は、エアフィルタに付着した塵埃を自動的に清掃するフィルタ清掃機能付きの空気調和機に関する。
【背景技術】
【０００２】
従来、この種の空気調和機は、エアフィルタに付着した塵埃をブラシにより除去するとともに、ブラシに付着した塵埃をブレードによってブラシ下方の塵埃回収部に掻き落とすように構成されている。そして、上記塵埃回収部内の塵埃は、使用者が空気調和機本体から塵埃収納部を取り外す等して廃棄するようになっており、手間のかかるものであった。
【０００３】
そこで、本出願人は前記塵埃回収部を取り外すことなく塵埃回収部内の塵埃を廃棄できるようにしたフィルタ清掃機能を提案している（例えば、特許文献１参照）。
【０００４】
図２０、図２１は上記特許文献１記載のフィルタ清掃機能付き空気調和機における塵埃除去構成を示す。図２０、図２１において、１０１はエアフィルタに付着した塵埃を除去するブラシ、１０２は前記ブラシ１０１を植設したブラシ保持台で、下向き姿勢に回転可能となっている。１０３は下向き姿勢になったブラシ保持台１０２のブラシ１０１から塵埃を掻き落とすブレードで、ブラシ保持台１０２の下方に位置している。１０４は前記ブレード１０３を保持するとともに当該ブレード１０３に掻き落とされた塵埃を受ける塵埃受け部で、この塵埃受け部１０４も下向き姿勢に回転可能となっている。１０５は前記塵埃受け部１０４の更に下方に配置された塵埃回収部、１０６は前記塵埃回収部１０５に回収された塵埃を気流により排出する排出装置である。
【０００５】
上記構成において、エアフィルタに付着している塵埃はブラシ１０１に対しエアフィルタをスライド駆動させることによりブラシ１０１で掻き落とし、塵埃回収部１０５上に落下させて回収する。そして、エアフィルタ駆動停止後、ブラシ保持台１０２を下向きに回転させて前記ブラシ１０１を下向き姿勢にする。この状態でブラシ保持台１０２のブラシ１０１を揺動させてブラシ１０１に付着している塵埃を掻き落とし、ブレード１０３を保持している塵埃受け部１０４に落下させ、回収する。
【０００６】
その後、前記塵埃受け部１０４を上向き姿勢から下向き姿勢に回転させ、塵埃受け部１０４で前記塵埃回収部１０５の開口部分を覆って筒状の排出通路１０７を形成するとともに、塵埃受け部１０４に溜まっている塵埃を塵埃回収部１０５に落下させて回収し、排出装置１０６を動作させる。この排出装置１０６の動作により塵埃回収部１０５に回収された塵埃は室外へと排出される。
【０００７】
よって、塵埃回収部１０５を空気調和機本体から取り外さなくても排出装置１０６の駆動により塵埃回収部１０５に回収された塵埃を排出することができ、塵埃廃棄の手間を省くことができる。
【先行技術文献】
【特許文献】
【０００８】
【特許文献１】特開２０１７−１１０８６０号公報
【発明の概要】
【発明が解決しようとする課題】
【０００９】
しかしながら上記特許文献１記載の構成によると、エアフィルタを駆動する駆動源とは別に、ブラシ保持台１０２を回転させてブラシ１０１を上向き姿勢から下向き姿勢にする駆動源と、ブレード１０３付きの塵埃受け部１０４を上向き姿勢から下向き姿勢に回転させる駆動源とを別々に必要とし、駆動源設置に大きなスペースを必要とする、という課題があった。
【００１０】
本発明はこのような課題を解決したもので、駆動源設置スペースを小型化した空気調和機の提供を目的としたものである。
【課題を解決するための手段】
【００１１】
本発明は上記目的を達成するため、エアフィルタに付着した塵埃を除去するブラシを備え上向き姿勢と下向き姿勢に回転可能なブラシ保持台と、前記ブラシ保持台のブラシで除去した塵埃を上面の開口から回収する塵埃回収部とを備え、上記塵埃回収部の開口は前記上向き姿勢から下向き姿勢にしたブラシ保持台のブラシ保持面自体で塞ぐ構成としてある。
【００１２】
上記構成により、塵埃回収機構の駆動源としてはブラシ保持台を回転させる駆動源一つでよく、従来のようにブラシ保持台の駆動源とブレード付き塵埃受け部の駆動源の二つを必要とせず、駆動源設置スペースを小型化することができる。従って、構成の簡素化とコストダウンを図ることが可能になる。また、設置スペースを小型化した分、すなわち省スペース化した分を利用して熱交換器を大きくしたり、付加機能部品を備えるなどして機能向上を実現したりすることもできる。
【発明の効果】
【００１３】
本発明は上記構成により、駆動源設置スペースを小型化でき、安価で高性能かつ多機能な空気調和機とすることができる。
【図面の簡単な説明】
【００１４】
【図１】本発明の実施の形態１に係る空気調和機の室内機を示す斜視図
【図２】同室内機の前面パネルを取り外した時の正面図
【図３】同室内機の断面図
【図４】同室内機のフィルタ清掃ブロックの斜視図
【図５】同フィルタ清掃ブロックの断面図
【図６】同フィルタ清掃ブロックのフィルタ清掃時を示す拡大断面図
【図７】同フィルタ清掃ブロックのブラシ清掃及び塵埃排出時を示す拡大断面図
【図８】同フィルタ清掃ブロックの塵埃回収排出ユニットを示す斜視図
【図９】同フィルタ清掃ブロックの塵埃回収排出ユニットの側面図
【図１０】同塵埃回収排出ユニットの塵埃回収ユニットを示す斜視図
【図１１】同塵埃回収ユニットからフィルタ搬送用駆動部を取り外した状態を示す斜視図
【図１２】同塵埃回収排出ユニットの塵埃回収ユニットを示す拡大斜視図
【図１３】同塵埃回収ユニットからフィルタ搬送用駆動部を取り外した状態を示す拡大斜視図
【図１４】同塵埃回収排出ユニットのフィルタ清掃時におけるブラシ保持台の状態を示す拡大斜視図
【図１５】同塵埃回収排出ユニットのブラシ清掃及び塵埃回収時におけるブラシ保持台の状態を示す拡大斜視図
【図１６】（ａ）同塵埃回収排出ユニットのフィルタ清掃動作を説明する断面図、（ｂ）同平面図、（ｃ）同リンク機構を示す側面図
【図１７】（ａ）同塵埃回収ユニットのブラシ清掃及び塵埃排出時の動作を説明する断面図、（ｂ）同平面図断面図、（ｃ）同リンク機構を示す側面図
【図１８】同フィルタの清掃・塵埃回収・排出を行う制御の制御ブロック図
【図１９】同制御ブロック図の制御を示すフローチャート
【図２０】従来の塵埃回収排出ユニットを示す斜視図
【図２１】（ａ）従来の塵埃回収排出ユニットのブラシ清掃時の断面図、（ｂ）同塵埃回収排出ユニットの塵埃排出時の断面図
【発明を実施するための形態】
【００１５】
第１の発明は、室内機に内蔵されたエアフィルタと、前記エアフィルタに付着した塵埃を除去するブラシを保持したブラシ保持台と、前記ブラシ保持台を上向き姿勢と下向き姿勢に回転させる回転装置と、前記ブラシ保持台の下方に位置し前記ブラシで除去した塵埃を上面の開口を介して回収する塵埃回収部とを備え、前記塵埃回収部の開口は上向き姿勢から下向き姿勢に回転した前記ブラシ保持台のブラシ保持面自体で塞ぐ構成としてある。
【００１６】
これにより、塵埃回収に必要とされる駆動源はブラシ保持台を回転させる駆動源一つでよく、従来のようにブラシ保持台の駆動源とブレード付き塵埃受け部の駆動源の二つを必要とせず、塵埃回収機構の設置スペースを小型化することができる。従って、構成の簡素化とコストダウンを図ることが可能になる。また、設置スペースを小型化した分、すなわち省スペース化した分を利用して熱交換器を大きくしたり、付加機能部品を備えるなどして機能向上を実現したりすることもできる。
【００１７】
第２の発明は、第１の発明において、前記塵埃回収部は下向き姿勢のブラシに付着している塵埃を除去するブレードを備えた構成としてある。
【００１８】
これにより、下向き姿勢にしたブラシ保持台を揺動させればブラシに付着している塵埃を掻き落として効率よく塵埃回収部に回収することができ、塵埃回収効率を向上させることができる。
【００１９】
第３の発明は第１又は第２の発明において、前記ブラシ保持台はアームで回転自在に支持するとともに、塵埃回収部の開口面は傾斜面とした構成としてある。
【００２０】
これにより、ブラシ保持台のブラシ保持面を上向き姿勢から下向き姿勢に回転させたときブラシ保持面は傾斜状態となるが、塵埃回収部の開口面が傾斜面となっているのでブラシ保持面は塵埃回収部の開口面を確実に塞いで空気漏れを抑制でき、塵埃排出効率を向上させることができる。
【００２１】
第４の発明は第３の発明において、前記アームは二つ備え、前記二つのアームはそのアーム軸線が交差するような形でその端部をブラシ保持台に回転自在に連結した構成としてある。
【００２２】
これにより、ブラシ保持台は若干上下に動きながら回転してブラシを上向き姿勢から下向き姿勢に回転するようになるので、下向き姿勢になったブラシ保持台のブラシ保持面は塵埃回収部の上面開口に押し付けられるような形となる。よってブラシ保持面による塵埃回収部の上面開口閉塞効果を高めることができ、排出装置による塵埃排出効率を更に向上させることができる。
【００２３】
第５の発明は、第３または第４の発明において、前記アームはブラシ保持台の両端部分にそれぞれ設けた構成としてある。
【００２４】
これにより、室内機の幅方向に沿って長くなるブラシ保持台をその両端部分で回転自在に支持することになり、片持ち支持の場合に生じやすい動作トラブルを防止して信頼性の高い塵埃回収機構とすることができる。
【００２５】
以下、本発明の実施の形態について、図面を参照しながら説明する。なお、この実施の形態によって本発明が限定されるものではない。
【００２６】
（実施の形態１）
本発明の実施の形態１に係る空気調和機は、冷媒配管で互いに接続された室外機と室内機とで構成されている。
【００２７】
図１は、実施の形態１に係る空気調和機の室内機を示す斜視図、図２は同室内機の前面パネルを外した時の正面図、図３は同室内機の断面図である。
【００２８】
図１〜図３に示すように、本実施の形態に係る室内機１は、本体２と、本体２の前面開口部２ａを塞ぐ前面パネル３とを備えている。本体２の内部には、図３に示すように、上面開口部２ｂから取り入れられた室内空気を熱交換する熱交換器４と、熱交換器４で熱交換された空気を室内に吹き出すための風力源であるファン５とが設けられている。ファン５は、例えば、クロスフローファンであり、本体２の下方に設けられた吹出口６を通じて室内に空気を吹き出すように設けられている。また、本体２の内部には、吹出口６を開閉するとともに空気の吹き出し方向を上下に変更する上下風向変更羽根７と、空気の吹き出し方向を左右に変更する左右風向変更羽根８とが設けられている。
【００２９】
空気調和機が空調運転を開始すると、上下風向変更羽根７が開制御されて吹出口６が開放される。この状態でファン５が駆動されることで、室内空気が上面開口部２ｂを介して室内機の内部に取り入れられる。取り入れられた室内空気は、熱交換器４で熱交換され、ファン５を通過し、ファン５の送風方向の下流側に形成された通風路９を通過して、吹出口６より吹き出される。
【００３０】
また、上面開口部２ｂと熱交換器４との間には、上面開口部２ｂから取り入られた室内空気に含まれる塵埃を除去するためのエアフィルタ１０が設けられている。エアフィルタ１０は、枠体部分と、当該枠体部分に保持された網部分とを備えている。本実施の形態にかかる空気調和機は、エアフィルタ１０の網部分に付着した塵埃を自動的に清掃するフィルタ清掃機能を備えている。
【００３１】
以下、フィルタ清掃機能について図４〜図１７を用いて説明する。
【００３２】
図４は室内機のフィルタ清掃ブロックを示す斜視図、図５はフィルタ清掃ブロックの断面図、図６はフィルタ清掃ブロックのフィルタ清掃時を示す拡大断面図、図７はフィルタ清掃ブロックのブラシ清掃及び塵埃排出時を示す拡大断面図、図８はフィルタ清掃ブロックの塵埃回収排出ユニットを示す斜視図、図９はフィルタ清掃ブロックの塵埃回収排出ユニットの側面図、図１０は塵埃回収排出ユニットの塵埃回収ユニットを示す斜視図、図１１は塵埃回収ユニットからフィルタ搬送用駆動部を取り外した状態を示す斜視図、図１２は塵埃回収排出ユニットの塵埃回収ユニットを示す拡大斜視図、図１３は塵埃回収ユニットからフィルタ搬送用駆動部を取り外した状態を示す拡大斜視図、図１４は塵埃回収排出ユニットのフィルタ清掃時におけるブラシ保持台の状態を示す拡大斜視図、図１５は塵埃回収排出ユニットのブラシ清掃及び塵埃回収時におけるブラシ保持台の状態を示す拡大斜視図、図１６（ａ）、（ｂ）、（ｃ）は塵埃回収排出ユニットのフィルタ清掃動作を説明する説明図、図１７（ａ）、（ｂ）、（ｃ）は塵埃回収ユニットのブラシ清掃及び塵埃排出時の動作を説明する説明図である。
【００３３】
エアフィルタ１０は、図５に示すようにフィルタ保持台１１により保持されている。フィルタ保持台１１には、エアフィルタ１０を保持するための第１保持空間１１Ａと第２保持空間１１Ｂとが設けられている。エアフィルタ１０は、フィルタ搬送装置１２により第１保持空間１１Ａと第２保持空間１１Ｂに搬送される。
【００３４】
フィルタ搬送装置１２は、図５に示すように、室内機の幅方向（図５では奥行き方向）に延在するシャフト１３と、シャフト１３の外周面の一部に取り付けられたギヤ１４とを備えている。エアフィルタ１０は、シャフト１３に架け回されるとともに、ギヤ１４と係合するように取り付けられる。
【００３５】
エアフィルタ１０は、通常、第１保持空間１１Ａ内に位置し、上面開口部２ｂから取り入られた室内空気に含まれる塵埃を除去する。エアフィルタ１０の清掃開始が指示されると、ギヤ１４が正方向（図５では反時計回り）に回転し、エアフィルタ１０は、第１保持空間１１Ａから第２保持空間１１Ｂへと搬送される。エアフィルタ１０が第２保持空間１１Ｂに搬送されると、ギヤ１４が逆方向（図５では時計回り）に回転し、エアフィルタ１０は、第２保持空間１１Ｂから第１保持空間１１Ａへ戻し搬送される。
【００３６】
なお、本実施の形態において、第１保持空間１１Ａから第２保持空間１１Ｂまでのエアフィルタ１０の搬送経路を「往路」といい、第２保持空間１１Ｂから第１保持空間１１Ａまでのエアフィルタ１０の搬送経路を「復路」という。
【００３７】
シャフト１３の近傍には、エアフィルタ１０がシャフト１３の周囲に沿って移動するようにガイドするガイド部材１５が設けられている。ガイド部材１５は、シャフト１３に対して所定の隙間を空けて設けられている。
【００３８】
エアフィルタ１０を駆動するフィルタ搬送装置１２のシャフト１３近傍には、エアフィルタ１０の表面に付着した塵埃を除去するブラシ１６が設けられている。ブラシ１６はブラシ回転装置の一例であるブラシ保持台１７に取付け保持されており、そのブラシ保持台１７の下方には樋状の塵埃回収部１９が設けられている。塵埃回収部１９はその内底面に前記ブラシ１６に付着した塵埃を除去するブレード１８が設けられている。なお、ブレード１８は、例えば、ゴムなど弾性体、好ましくは柔軟性のある軟質性弾性体により構成されている。
【００３９】
上記ブラシ１６、ブラシ保持台１７、ブレード１８、塵埃回収部１９は、図１０、図１１に示すように、塵埃回収ユニットＡを構成し、図８、図９に示すように吸引ファン等からなる排出装置２１に連結して塵埃回収排出ユニットＢを形成している。
【００４０】
塵埃回収排出ユニットＢは、塵埃回収部１９の排出装置２１とは反対側の端部を開口させ、塵埃回収部１９に回収された塵埃を吸引し屋外に排出するように構成されている。
【００４１】
なお、上記ブラシ１６、ブラシ保持台１７、ブレード１８、塵埃回収部１９からなる塵埃回収ユニットＡはエアフィルタ１０の幅方向に延在するように設けられている。
【００４２】
塵埃回収ユニットＡの塵埃回収部１９は、ブラシ１６及びブレード１８より除去された（掻き落とされた）塵埃を上面の開口２２（図６参照）を介して受け止め回収するもので、図１１等に示すように幅方向両端部分に保持部材２０を設け、この保持部材２０を介して前記ブラシ保持台１７を保持している。この時、ブラシ保持台１７は掻き落とされた塵埃が落下するための隙間Ｓを開口２２部分に残している。
【００４３】
ブラシ保持台１７は図１４等に示すように断面略Ｌ状に形成され、ブラシ１６を保持した面（以下、ブラシ保持面と称す）１７ａの反対側の面に数本の補強用リブ２３が一体形成されている。
【００４４】
そして、上記ブラシ保持台１７は、図１３に示すようにその両端部にリンク機構２４を備え、このリンク機構２４の基端部側を前記塵埃回収部１９両端の保持部材２０に連結して、ブラシ１６の先端部をエアフィルタ１０に接触させる上向き姿勢と、ブレード１８の先端部に接触させるから下向き姿勢とに回転移動させることが可能となっている。
【００４５】
また、上記ブラシ保持台１７は、下向き姿勢、つまりブラシ１６の先端部をブレード１８の先端部に接触させる位置に移動した時、そのブラシ保持面１７ａが図７、図１５に示すように塵埃回収部１９の上面の開口２２を塞ぎ、塵埃回収部１９の内部を塵埃回収通路部２５とする構成となっている。
【００４６】
一方、上記ブラシ保持台１７の回転駆動源となるモータ等の回転装置２６は、前記リンク機構２４を駆動してブラシ保持台１７を回転させるようになっており、図１１に示すように、ブラシ保持台１７を回転させることができるよう塵埃回収部１９両端の保持部材２０にそれぞれ取り付けられている。
【００４７】
リンク機構２４は図１６、図１７の（ｃ）に示すように、その軸線が交差するような形のアームＡ２７とアームＢ２８との組み合わせによって構成されている。アームＡ２７はブラシ保持台１７を回転させる回転装置２６の軸２９に連結して駆動アームとなり、アームＢ２８はアームＡ２７の回転によって従動する従動アームとなっていて、アームＡ２７の回転によりアームＢ２８が従動して矢印ａ、ｂ、ｃに示すように若干下降もしくは上昇しながらブラシ保持台１７を下向き姿勢或いは上向き姿勢に回転させる。
【００４８】
また、ブラシ保持台１７を下向き姿勢にしたとき、ブラシ保持面１７ａは斜めに傾斜した状態となる。したがって、図７、図１５に示すように、塵埃回収部１９の開口部分に設けたブラシ保持台受け段部１９ａの段部面、すなわち開口面はブラシ保持台１７の傾斜に沿うように傾斜状態となっている。
【００４９】
なお、塵埃回収部１９の底面に設けられたブレード１８は、ブレード部分以外を断面略円弧状のカバー１８ａによって覆うことにより、塵埃吸引排出時の大きな抵抗とならないようにされている。
【００５０】
また、フィルタ搬送装置１２のギヤ１４を駆動するモータ等のフィルタ駆動装置３０は、図１０、図１２に示すようにブラシ保持台１７の駆動源となる回転装置２６と同様塵埃回収部１９の両端の保持部材２０に取り付けることにより、駆動源ユニットとして纏め設置してある。
【００５１】
図１８は上記のように構成されたフィルタ清掃機能の制御ブロック図を示し、フィルタ搬送装置１２を駆動するフィルタ駆動装置３０、ブラシ保持台１７を回転駆動する回転装置２６、塵埃排出用の排出装置２１は、室内機に設けられている制御部３１によって制御される。その制御フローは図１９に示す通りである。
【００５２】
以下、上記のように構成された空気調和機のエアフィルタ１０に付着した塵埃を清掃し排出する動作の一例を説明する。
【００５３】
空気調和機は所定時間使用されフィルタ清掃開始信号が発せられると、ブラシ保持台１７の駆動源である回転装置２６が動作してブラシ保持台１７を駆動し、ブラシ１６がエアフィルタ１０に接触する状態とする。その後、フィルタ駆動装置３０が動作し、フィルタ搬送装置１２のギヤ１４が正方向（図５では反時計回り）に回転され、エアフィルタ１０が第１保持空間１１Ａから第２保持空間１１Ｂへ搬送される。
【００５４】
この搬送の間、ブラシ保持台１７は、ブラシ１６をエアフィルタ１０と接触する位置で固定する。これにより、エアフィルタ１０に付着した塵埃は、定位置で固定されるブラシ１６で堰き止められ、除去される。この時、ブラシ１６に付着した塵埃の一部は、隙間Ｓを通じて塵埃回収部１９内に落下し回収される。
【００５５】
ここで、上記ブラシ１６はエアフィルタ１０への接触によって圧迫されることになるが、これを保持するブラシ保持台１７は補強用リブ２３によって補強されているので、撓み変形等することがない。よって、エアフィルタ１０に付着した塵埃の除去効率が向上する。
【００５６】
なお、エアフィルタ１０に付着した塵埃の除去効率を更に向上させるためブラシ１６にダンパーなどの弾性体を設けてもよい。
【００５７】
ギヤ１４が更に正方向に回転され、エアフィルタ１０が第２保持空間１１Ｂの終端まで到達すると、ギヤ１４の正方向の回転が停止され、ブラシ１６をエアフィルタ１０に接触しない待機位置にしてギヤ１４を逆回転させ、エアフィルタ１０を元の位置に戻す。
【００５８】
以上の動作を必要ならば数回繰り返し、フィルタ清掃が終了する。
【００５９】
フィルタ清掃が終了すると、塵埃の排出動作が行われる。この塵埃の排出動作は図１５のブラシ掃除＆塵埃排出処理の動作フローのように行われる。
【００６０】
すなわち、エアフィルタ１０の掃除動作が終了すると、まず塵埃排出用の排出装置２１を駆動させる。その後、回転装置２６を駆動し、ブラシ保持台１７を逆方向（図５では反時計回り）に回転させ、ブラシ１６をブラシ掃除位置、すなわち下向き姿勢にして塵埃回収部１９内に臨ませる。
【００６１】
これにより、フィルタ清掃によって、塵埃回収部１９内に落下し回収されている塵埃とブラシ１６に付着している塵埃が排出装置２１の吸引力によって吸引除去され、屋外へと排出される。
【００６２】
この時、本実施の形態では、ブラシ保持台１７のブラシ保持面１７ａが塵埃回収部１９の上面の開口２２を塞ぎ、塵埃回収部１９の内部を塵埃回収通路部２５とする。
【００６３】
したがって、ブラシ１６を下向き姿勢とするための駆動源と塵埃回収部１９の開口を塞いで塵埃回収通路部２５を形成するための駆動源とがブラシ保持台１７の回転装置２６だけでよくなる。
【００６４】
つまり、従来のようにブラシ保持台の駆動源とブレード付き塵埃受け部の駆動源の二つを必要とせず、駆動源設置スペースを小型化することができる。
【００６５】
よって、構成の簡素化とコストダウンを図ることが可能になる。
【００６６】
また、設置スペースを小型化した分、すなわち省スペース化した分を利用して熱交換器を大きくしたり、付加機能部品を備えるなどして機能向上を実現したりすることもできる。
【００６７】
また、本実施の形態では、塵埃回収部１９の底部にブレード１８を設けているので、ブラシ１６をブレード１８に接する状態で揺動させれば、ブラシ１６に付着している塵埃の残部が機械的にも除去され、ブラシ１６に付着残存している塵埃の除去、すなわちブラシ掃除の効率を高め、塵埃排出を効果的に行うことができる。
【００６８】
しかも、この時、ブラシ１６はブレード１８との接触によって圧迫されることになるが、前記の如くブラシ保持台１７は補強用リブ２３によって補強されているので、この時も撓み変形等することがない。よって、ブラシ１６に付着残存している塵埃の除去を効率よく行うことができる。
【００６９】
また、上記ブラシ保持台１７はリンク機構２４で回転自在に支持しているので、ブラシ保持台１７のブラシ保持面１７ａを上向き姿勢から下向き姿勢に回転させたときブラシ保持面１７ａは傾斜状態となる。しかしながら、本実施の形態では、上記塵埃回収部１９の開口面は傾斜面となっているので、ブラシ保持台１７が傾斜し、その位置に多少のバラつき等が生じても、ブラシ保持面１７ａは塵埃回収部１９の開口２２を確実に塞ぐことができる。よって、排出装置２１による塵埃排出効率を更に向上させることができる。
【００７０】
また、上記ブラシ保持台１７は塵埃回収部１９の傾斜した開口面を形成するブラシ保持台受け段部１９ａの段部面に当接してそれ以上の回転を防止される。したがって、回転しすぎることによって生じる隙間（図７においてはブラシ保持台１７の左右の端縁と塵埃回収部１９の側壁面との間に生じる隙間）を防止でき、塵埃排出効率をより高いものとすることができる。
【００７１】
また、前記ブラシ保持台１７を回転させるリンク機構２４は二つのアーム２７，２８で構成し、前記二つのアーム２７，２８はそのアーム軸線が交差するような形でその端部をブラシ保持台１７に回転自在に連結した構成としてある。
【００７２】
これにより、ブラシ保持台１７は若干上下に動きながら回転してブラシ１６を上向き姿勢から下向き姿勢にするようになるので、下向き姿勢になったブラシ保持台１７のブラシ保持面１７ａは塵埃回収部１９の開口２２に設けたブラシ保持台受け段部１９ａに押し付けられるような形となる。よってブラシ保持面１７ａによる塵埃回収部１９の開口閉塞効果を高めることができ、排出装置２１による塵埃排出効率を更に向上させることができる。
【００７３】
また、前記アーム２７，２８を組み合わせて構成したリンク機構２４はブラシ保持台１７の両端部分にそれぞれ設けてあるから、室内機の幅方向に沿って長くなるブラシ保持台１７をその両端部分で両持ち支持し駆動することになり、片持ち支持・駆動の場合に生じやすい動作トラブルを防止して信頼性の高い塵埃回収機構とすることができる。
【００７４】
なお、上記回転装置２６及びリンク機構２４はブラシ保持台１７の両端に設けたが、これはいずれか一方端側だけに設けてもよい。また、回転装置２６だけ一方端側に設けてもよい。この場合、駆動アームとなるアームＡ２７の軸２９はブラシ保持台１７の長手方向に延ばして反対側のリンク機構２４のアームＡ２７の軸となるようにすればよい。
【００７５】
以上のようにして塵埃回収部１９内でのブラシ１６の塵埃除去及び塵埃回収部１９内の塵埃排出が行われ、所定時間経過もしくはブラシ１６の揺動回数が所定回数に達すると排出動作を終了する。
【００７６】
そして、塵埃排出が終了すると、ブラシ保持台１７を上向き姿勢に戻してブラシ１６がエアフィルタ１０に接しない待機位置へと移動させるブラシリセットを行い、その後、塵埃排出装置を停止して動作を終了する。
【００７７】
以上、本発明に係る空気調和機について、上記実施の形態を用いて説明したが、本発明は、これに限定されるものではなく、本発明の範囲は特許請求の範囲によって示され、特許請求の範囲と均等の意味及び範囲内でのすべての変更が含まれるものである。
【産業上の利用可能性】
【００７８】
以上のように、本発明にかかる空気調和機は、駆動源設置スペースを小型化でき、安価で高性能かつ多機能な空気調和機とすることができる。よって、一般家庭で使用される空気調和機を含む様々な空気調和機に適用できる。
【符号の説明】
【００７９】
１  室内機
２  本体
２ａ  前面開口部
２ｂ  上面開口部
３  前面パネル
４  熱交換器
５  ファン
６  吹出口
７  上下風向変更羽根
８  左右風向変更羽根
９  通風路
１０  エアフィルタ
１１  フィルタ保持台
１１Ａ  第１保持空間
１１Ｂ  第２保持空間
１２  フィルタ搬送装置
１３  シャフト
１４  ギヤ
１５  ガイド部材
１６  ブラシ
１７  ブラシ保持台
１７ａ  ブラシ保持面
１８  ブレード
１８ａ  カバー
１９  塵埃回収部
１９ａ  ブラシ保持台受け段部
２０  保持部材
２１  排出装置
２２  開口
２３  補強用リブ
２４  リンク機構
２５  塵埃回収通路部
２６  回転装置
２７  アームＡ
２８  アームＢ
２９  軸
３０  フィルタ駆動装置
３１  制御部
【図１】
2020063848.tif 000003
【図２】
2020063848.tif 000004
【図３】
2020063848.tif 000005
【図４】
2020063848.tif 000006
【図５】
2020063848.tif 000007
【図６】
2020063848.tif 000008
【図７】
2020063848.tif 000009
【図８】
2020063848.tif 000010
【図９】
2020063848.tif 000011
【図１０】
2020063848.tif 000012
【図１１】
2020063848.tif 000013
【図１２】
2020063848.tif 000014
【図１３】
2020063848.tif 000015
【図１４】
2020063848.tif 000016
【図１５】
2020063848.tif 000017
【図１６】
2020063848.tif 000018
【図１７】
2020063848.tif 000019
【図１８】
2020063848.tif 000020
【図１９】
2020063848.tif 000021
【図２０】
2020063848.tif 000022
【図２１】
2020063848.tif 000023
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
室内機に内蔵されたエアフィルタと、前記エアフィルタに付着した塵埃を除去するブラシを保持したブラシ保持台と、前記ブラシ保持台を上向き姿勢と下向き姿勢に回転させる回転装置と、前記ブラシ保持台の下方に位置し前記ブラシで除去した塵埃を上面の開口を介して回収する塵埃回収部とを備え、前記塵埃回収部の開口は上向き姿勢から下向き姿勢に回転した前記ブラシ保持台のブラシ保持面自体で塞ぐ構成とした空気調和機。
【請求項２】
塵埃回収部は下向き姿勢のブラシに付着している塵埃を除去するブレードを備えた構成とした請求項１記載の空気調和機。
【請求項３】
ブラシ保持台はリンク機構で回転自在に支持されるとともに、塵埃回収部の開口面は傾斜面とした請求項１又は２記載の空気調和機。
【請求項４】
リンク機構は、アームを二つ備え、前記二つのアームはそのアーム軸線が交差するような形でその端部をブラシ保持台に回転自在に連結された請求項３記載の空気調和機。
【請求項５】
リンク機構がブラシ保持台の両端部分にそれぞれ設けられた請求項３又は４記載の空気調和機。